(57)【要約】【課題】  本発明は、接触位置を検出することができるスライドタッチセンサに沿って操作バーを表示させ、該スライドタッチセンサに接触するだけの簡単な操作で、目的の画像を表示させることができる表示装置を提供する。【解決手段】  表示装置１であって、画像を表示する表示手段３と、接触位置に応じた信号を出力するスライドタッチセンサ５と、前記スライドタッチセンサを含む操作手段とを有し、前記操作手段の操作に基づいて、前記画像を含むコンテンツ全体の長さに対応する操作バー３０が前記スライドタッチセンサ５に沿って前記表示手段３に表示され、前記操作バー３０が表示された状態で、前記スライドタッチセンサ５に接触することにより、接触位置に対応する前記コンテンツ内の画像が前記表示手段３に表示されることを特徴とする。【選択図】  図５
2005322086.tif 000002
【特許請求の範囲】
【請求項１】
画像を表示する表示手段と、
接触位置に応じた信号を出力するスライドタッチセンサと、
前記スライドタッチセンサを含む操作手段とを有し、
前記操作手段の操作に基づいて、前記画像を含むコンテンツ全体の長さに対応する操作バーが前記スライドタッチセンサに沿って前記表示手段に表示され、
前記操作バーが表示された状態で、前記スライドタッチセンサに接触することにより、接触位置に対応する前記コンテンツ内の画像が前記表示手段に表示されることを特徴とする表示装置。
【請求項２】
前記操作バーは、前記画像が前記表示手段に表示されている状態で、前記スライドタッチセンサに接触することにより、前記表示手段に表示されることを特徴とする請求項１に記載の表示装置。
【請求項３】
前記操作バーは、前記スライドタッチセンサに接触していない状態が所定時間以上継続すると、前記表示手段から表示が消えることを特徴とする請求項１または２に記載の表示装置。
【請求項４】
前記操作バーには、前記表示手段に表示されている画像の前記コンテンツ内の位置を示すための位置指示手段が表示されることを特徴とする請求項１乃至３のいずれかに記載の表示装置。
【発明の詳細な説明】
【技術分野】
【０００１】
本発明は、画像等を表示するための表示装置に関する。
【背景技術】
【０００２】
従来、表示装置にコンテンツ内の画像を表示させ、該コンテンツの中から見たい画像を検索するために、画面にコンテンツ全体の長さに相当する操作バーを表示させて、該操作バーを操作することにより検索する方式が知られている。例えば、画面に操作バーに相当するスライダーを表示させ、スライダーのつまみをマウスカーソルによりドラッグ・アンド・ドロップして目的の位置までつまみを移動して、該位置に対応する画像を表示させる装置が知られている（特許文献１）。
【特許文献１】特開平１１−１２７４２０号公報
【発明の開示】
【発明が解決しようとする課題】
【０００３】
しかしながら、特許文献１に記載の装置は、スライダー上の位置の指定をマウスカーソル等によりドラッグ・アンド・ドロップの操作で行なうため、画面上でカーソルをつまみ位置に合わせて操作するなど手間がかかるものであった。
本発明は、このような問題点に鑑みなされたものであり、接触位置を検出することができるスライドタッチセンサに沿って操作バーを表示させ、該スライドタッチセンサに接触するだけの簡単な操作で、目的の画像を表示させることができる表示装置を提供するものである。
【課題を解決するための手段】
【０００４】
本発明は、表示装置であって、画像を表示する表示手段と、接触位置に応じた信号を出力するスライドタッチセンサと、前記スライドタッチセンサを含む操作手段とを有し、前記操作手段の操作に基づいて、前記画像を含むコンテンツ全体の長さに対応する操作バーが前記スライドタッチセンサに沿って前記表示手段に表示され、前記操作バーが表示された状態で、前記スライドタッチセンサに接触することにより、接触位置に対応する前記コンテンツ内の画像が前記表示手段に表示されることを特徴とする。
前記操作バーは、前記画像が前記表示手段に表示されている状態で、前記スライドタッチセンサに接触することにより、前記表示手段に表示されることを特徴とする。
前記操作バーは、前記スライドタッチセンサに接触していない状態が所定時間以上継続すると、前記表示手段から表示が消えることを特徴とする。
前記操作バーには、前記表示手段に表示されている画像の前記コンテンツ内の位置を示すための位置指示手段が表示されることを特徴とする。
【発明の効果】
【０００５】
本発明は、接触位置を検出することができるスライドタッチセンサに沿って操作バーを表示させ、該スライドタッチセンサに接触するだけの簡単な操作で、目的の画像を表示させることができる表示装置を提供することができる。
【発明を実施するための最良の形態】
【０００６】
次に、本発明の内容を詳細に説明するが、本発明はこれら実施の形態に何ら限定されるものではない。
【０００７】
図１は本発明の実施の形態にかかる表示装置１の正面図で、図２は図１の表示装置１を上方から見た上面図である。表示部材２は、液晶パネル等の表示部３、表示部３の縦方向および横方向に沿ってそれぞれ設けられたスライドタッチセンサ４および５、スライドタッチセンサ４、５の両端部にそれぞれ設けられたタッチセンサ６等から構成されている。本体部材７の正面には、表示部３にメニュー画面を表示させる等の画面操作を行う画面操作キー８、メニューの選択、決定等を行なうジョイスティック等のメニュー操作キー９、再生、早送り、録画等の操作を行なうＡＶ操作キー１０、音声の出力を行なうスピーカ１１等が設けられ、側面には記録媒体を挿入できるカードスロット１２が設けられている。本体部材７の上面には、電源キー１３、輝度調整等を行なうための画面調整キー１４、選局キー１５、音量キー１６、他の電子機器を遠隔操作するための信号やデータを送受信する無線送受信部１７、他の電子機器からまたは他の電子機器へ画像信号や音声信号等のデータを送受信する無線送受信部１８等が設けられている。
【０００８】
なお、表示部材２は本体部材７に対して、回転軸１９を中心に回転できるように構成されている。図３は、図１の状態から表示部材２を反時計方向へ９０度回転させた状態を示す図である。
【０００９】
図４は、本発明の表示装置のブロック図である。表示装置１は、他の電子機器からまたは他の電子機器へ画像信号や音声信号等のデータを送受信する無線送受信部１８、画像、映像、音楽または電子ブック等の記録された記録媒体を挿入できるカードスロット１２、カードスロット１２に挿入された記録媒体に記録されたデータを読み取る外部メモリ制御部２０、無線送受信部１８で受信したデータまたは外部メモリ制御部２０のデータのいずれかを選択する切替部２１、切替部２１で選択されたデータの音声信号の信号処理を行なう音声処理部２２、音声処理部２２からの信号に基づいて音声を出力するスピーカ１１、切替部２１で選択されたデータの画像信号の拡大、縮小等の処理を行なうスケーラ２３、スケーラ２３からの画像信号の信号処理を行なう画像処理部２４、表示装置１全体の制御を行なうマイコン２６、各種設定値等が記憶されているＲＯＭ２７、スライドタッチセンサ４、５や各操作キー等を含む操作部２８、操作部２８の操作に基づいて画面上に表示される各種調整値や各メニュー等（以下、ＯＳＤという）を発生するＯＳＤ発生部２９、画像処理部２４からの画像信号とＯＳＤ発生部２９からの信号を重畳する重畳部２５、重畳部２５からの信号に基づいて画像を表示する表示部３、操作部２８の操作に基づいて他の電子機器を遠隔操作するための信号やデータを送受信する無線送受信部１７等から構成される。
【００１０】
以上のような構成により、本発明の表示装置１は、様々の用途に用いることができるものである。例えば、携帯して持ち運びすることができ、家庭内にあるテレビ、ＤＶＤ等の他の電子機器の画像や音声を無線送受信部１８で受信して、離れた場所で他の電子機器の画像や音声を視聴することができる。また、操作部２８の操作により他の電子機器を遠隔操作する信号を無線送受信部１７から送信して、他の電子機器の遠隔操作装置として用いることができる。また、カードスロット１２に記録媒体を挿入して、画像、映像、電子ブック等を見たり、または音楽を聴いたりすることができる。また、図示はしていないが、インターネットと接続できる通信装置を内蔵したり、またはカード型通信装置を挿入できる構成にして、ＷＥＢ画面を閲覧したり、電子メールの送受信等を行なうこともできる。
【００１１】
また、図１乃至図３に示した表示装置１は、表示部材２を回転させて表示部３の向きを変えることができるように構成されている。従って、テレビ、ＤＶＤ等の横長の画像を見る場合は、表示部３が横長の図１の状態で視聴し、電子ブックやＷＥＢ画面等の縦長の画像を見る場合は、表示部３が縦長の図３の状態で視聴することができるので、非常に見やすいものである。さらに、いずれの向きにおいても、本体部材７に設けられた各操作キーの向きは変わらないため、画像に対して常に同じ向きから操作ができ操作性にも優れている。なお、本発明は、表示部材２が回転しない構成の表示装置にも適用できることは勿論である。
【００１２】
また、表示部３に表示されるメニュー等のＯＳＤは、図１の状態では横長の画面に合わせた向きで表示され、図３の状態では縦長の画面に合わせた向きで表示されるようにマイコン２６で制御される。例えば、表示部材２と本体部材７の対向する面等に、表示部材２の回転位置や回転範囲に応じて作動するスイッチを設け、該スイッチの出力に基づいて各画面に合わせた表示を行なうように制御することができる。
【００１３】
次に、スライドタッチセンサ４、５の操作について説明する。
図１に示すように、スライドタッチセンサ４、５は、表示部３の縦方向と横方向に沿ってそれぞれ設けられている。スライドタッチセンサ４、５は、指等で接触することにより、接触位置に応じた信号を出力し、マイコン２６で接触位置を判断することができる。また、スライドタッチセンサ４、５上に接触した指を移動することにより、接触位置に応じた信号の変化に基づいて、移動方向および移動距離を判断することもできる。また、指が接触している時間が所定時間以上か否かを判断して、長押しされたか否かを判断することもできるように構成されている。
【００１４】
以下、表示装置１で見ている画像を含むコンテンツ内の他の画像を表示させる場合の具体例について説明する。
このようなコンテンツとしては、例えば、カードスロット１２に挿入される記録媒体に記録されたビデオ、電子ブック、電子フォトアルバム等が挙げられる。ビデオの場合は１つのタイトルの中の視聴したい場面、電子ブックの場合は１冊の中の読みたい頁、電子フォトアルバムの場合はアルバムの中の見たい写真等を表示させることができる。
【００１５】
以下、ビデオが再生されて画像が表示部３に表示されている状態を例として説明する。まず、画像が表示部に表示されている状態で、スライドタッチセンサ５に指を接触すると、図５に示すように、スライドタッチセンサ５に沿って操作バー３０が表示部３に表示される。操作バー３０は、ビデオの全体の長さに相当する。操作バー３０には位置指示手段３１も表示され、ビデオ全体の中での現在表示されている画像の位置を示す。なお、操作バー３０を表示部３に表示させる操作手段は、他の操作手段（例えば、ジャンプボタン３２等）で行えるようにしてもよい。この状態で、ビデオの他の画像を見たい場合は、操作バー３０の見たい位置に対応するスライドタッチセンサ５の位置に指を接触することにより、位置指示手段３１がスライドタッチセンサ５の接触位置に対応する位置へ移動し、その位置に相当する画像が表示部３に表示されてその場面から再生が開始される。なお、表示された画像が見たい画像と異なる場合は、この操作を繰り返して見たい画像を表示させるように操作を行うことができる。なお、スライドタッチセンサ４、５は、皮膚が触れただけではスライドタッチセンサ４、５内のスイッチがオンにならず、少し押圧がかかってオンになるように調整されているものとする。このような構成にすると、再生中に操作バー３０が表示されている時に、誤ってスライドタッチセンサ５に接触して画像位置を移動してしまうような誤操作を防止することができる。
【００１６】
なお、電子ブック等の縦長の画像を図３の状態で見ている時に操作バーの操作を行う場合は、スライドタッチセンサ４を用いて行うように構成することができる。この場合は、スライドタッチセンサ４に指を接触することにより、操作バーをスライドタッチセンサ４に沿って画面上方に表示させ、スライドタッチセンサ４の接触位置に対応する画像を表示させるように制御する。このような構成にすれば、見ている画像の位置に対して操作バーが常に水平方向に表示されるため、違和感なく操作を行うことができる。また、図１の表示部３の左側にもスライドタッチセンサを設けておけば、図３の状態の時に該スライドタッチセンサを用いて操作バーの操作を行うことにより、図１の状態と同様に画面下方に該スライドタッチセンサに沿って操作バーを表示させるように構成することができる。
【００１７】
また、スライドタッチセンサ５に指を接触したまま、いずれかの方向へ移動することにより、操作バー３０の操作を行うこともできる。この場合は、指の移動に伴って位置指示手段３１の位置も移動し、移動が行われている間はコマ送り的に画像が表示される。移動を終了してスライドタッチセンサ５から指を離すと、その位置に対応した画像が表示されて、ビデオの再生が開始される。
【００１８】
図５の画面の左下に表示されている「前へ」の表示と、右下に表示されている「次へ」の表示は、インデックスサーチ（または定間隔ジャンプ）の操作を行うための表示であり、スライドタッチセンサ５の両端に設けられているタッチセンサ６により操作を行うことができる。例えば、１つの記録媒体に複数のタイトルのビデオが記録されている場合、表示されているタイトルの前後のタイトルのビデオを表示させたい場合等に用いることができる。
【００１９】
このように、本発明は、操作バー３０を操作する操作手段として、操作バー３０に沿って設けられ操作バーと同等の長さのスライドタッチセンサ５を用いることにより、感覚的に分かりやすい非常に簡単な操作で見たい画像を表示させることができる。また、１つのスライドタッチセンサ５で、操作バー３０を表示部３に表示させるための操作と、操作バー３０の操作を行うことができるため、操作手段を２つ設ける必要がなく部品点数の削減および小型化にも寄与するものである。
【００２０】
表示部３に表示されている操作バー３０の表示を終了する制御は、以下のように行うことができる。まず、表示部３に操作バー３０が表示されている状態で、スライドタッチセンサ５の操作が所定時間行われない場合、操作バー３０の表示が消えるように制御される。従って、操作バー３０が表示されたままになり、画像が見にくくなるという不具合を解消することができる。また、強制的に操作バー３０の表示を終了する場合は、以下のような構成にすることができる。例えば、ジャンプボタン３２や画面操作キー８の終了キー等を押下することにより、操作バー３０の表示が消えるように制御してもよいし、スライドタッチセンサ５以外の操作キーにより他の操作が行われた時に、操作バー３０の表示が消えるように制御してもよい。
【図面の簡単な説明】
【００２１】
【図１】本発明の実施の形態にかかる表示装置の正面図。
【図２】図１の表示装置の上面図。
【図３】図１の表示装置において表示部材を９０度回転させた状態を示す正面図。
【図４】本発明の実施の形態にかかる表示装置のブロック図。
【図５】表示部に操作バーが表示された状態を示す図。
【符号の説明】
【００２２】
１      表示装置
２      表示部材
３      表示部（表示手段）
４      スライドタッチセンサ
５      スライドタッチセンサ
６      タッチセンサ
７      本体部材
８      画面操作キー
９      メニュー操作キー
１０    ＡＶ操作キー
１１    スピーカ
１２    カードスロット
１３    電源キー
１４    画面調整キー
１５    選局キー
１６    音量キー
１７    無線送受信部
１８    無線送受信部
１９    回転軸
２０    外部メモリ制御部
２１    切替部
２２    音声処理部
２３    スケーラ
２４    画像処理部
２５    重畳部
２６    マイコン
２７    ＲＯＭ
２８    操作部
２９    ＯＳＤ発生部
３０    操作バー
３１    位置指示手段
３２    ジャンプボタン
【図１】
2005322086.tif 000003
【図２】
2005322086.tif 000004
【図３】
2005322086.tif 000005
【図４】
2005322086.tif 000006
【図５】
2005322086.tif 000007